(57)【要約】【課題】テニス等の試合中にゲ−ムカウントがなんかの理由にて判らなくなるといったことが発生しない為のテニス等のゲ−ムカウントスコア−手動回転装置を提供する。【解決手段】テニス等に用いるラケット上部にゲ−ムカウントスコア−が判るマ−クテ−プ（１）を貼りつけその上にカウントマ−クが判る穴明きゴムバンドワッカ（２）を重ね、テニスラケット等のオ−バ−グリップテ−プの端部のはがれ防止を兼ね備え、テニス等の試合でゲ−ムカウントを表示する穴明きゴムバンドワッカ（２）を摺動可能に装着したことを特徴とする。【選択図】      図１
0003103503.tif 000002
【実用新案登録請求の範囲】
【請求項１】
テニスラケット上部にゲ−ムカウントスコア−が判るマ−クテープ（１）を貼りつけ、その上にカウントマ−クが判る穴明きゴムバンド（２）を重ね、テニスラケット等のオ−バ−グリップテ−プの端部のはがれ防止を兼ね備えテニス試合などでゲ−ムカウントを表示する穴明きゴムバンドワッカ（２）を摺動可能に装着したゲ−ムカウントスコア−手動回転表示装置。
【請求項２】
穴明きゴムバンドの材質をシリコンゴムとした請求項１のゲ−ムカウントスコア−手動回転表示装置。
【請求項３】
穴明きゴムワッカの巾及びワッカゴムの厚み寸法をラケット本体に同寸法の溝をつくりそこに装着する。外れ防止用を兼ねたテニス等の一体型のゲ−ムカウントスコア−手動回転表示装置。
【考案の詳細な説明】
【技術分野】
【０００１】
この考案は、ゲ−ムスコア−カウントを正確に把握し楽しくプレ−するためのテニス等
のラケットに関するものである。
【背景技術】
【０００２】
テニス等のメジャ−な大会、一般公式試合等では、審判者が電光表示板、手送り表示板等で選手、第三者にスコア−を伝達・表示を行っているのが現状であるが、一般の練習試合等ではゲ−ムをやっている本人同士のカウントコ−ルでゲ−ムを進行させていっているのが一般的であります。しかしお互いの記憶がなんかの拍子にくいちがってしまうことが多々あります。これを防止する為の小型のカウント表示具が考案されていますが、携帯するもの、また手首に装着するものであったり、ラケット面の下部のガット面に装着するものでした。こうしたものは、家に忘れたり、落としてしまったり、また衝撃で支障をきたす恐れがありました。
【考案の開示】
【考案が解決しようとする課題】
【０００３】
携帯型・手首に装着して操作する、またガットに装着するカウント表示装置は下記の理由により操作がスム−ズにできなくて、逆にプレ−に集中できない面があった。  
操作がやりずらい。
操作している動作が第三者によく目に付く。
ボ−ルが直接当たりやすく、転倒した場合等に衝撃によって支障をきたす恐れが発
生する。
不携帯・装着忘れがよくある。
本考案は、これらの欠点を解決するためになされたものである。
【課題を解決するための手段】
【０００４】
テニスラケット等のグリップ上部にゲ−ムカウントスコア−が判るカウントマ−クテ−プ（１）を貼りつけその上にゲ−ムカウントマ−クが判る巾10mm〜20mm(２)の穴明きゴムバンドワッカ具を摺動可能に装着したゲ−ムカウントスコア−手動回転式表示装置である。
【考案の効果】
【０００５】
ラケットグリップ上部に穴明きゴムカウントスコア−手動回転装置を装着することにより、見やすく、操作が素早く簡単に出来、確実にカウントポイントが自然体で操作できる。誰もがラケットを手の平で回す一連の動作をやっている姿を見られたとおもいますが、集中力を高める効果があると言われており、カウント表示を手元で見るとなお一層集中力が高まり好判断が期待できる。オ−バ−グリップの端部のめくれ防止にも効果があり形状がシンプルで安価であり、ラケット本体グリップの色によってデザイン・色彩等が自由に楽しめる。きき腕側と反対の手の平の親指と人差し指で回して表示を行う。ゲ−ムカウントマ−クをポイント毎に手のひらで回転表示させ正しくゲ−ムカウントコ−ルができ、トラブルのない楽しいテニスができる。
【考案を実施するための最良の形態】
【０００６】
添付図面に従って以下本考案の実施の形態を説明する。テニス等でゲ−ムカウントスコア−を確実に表示でき、カウントポイントが自然体で操作できるのが目的である。ゲ−ムカウントマ−クをポイント毎に手の平で回転表示させることにより実現した。
【実施例１】
【０００７】
図１は、本考案の１実施例の斜視図である。図に示すようにラケットグリップ上部に穴明きゴムカウントスコア−手動回転装置を装着することにより、見やすく、操作が素早く簡単に出来、確実にカウントポイントが自然体で操作できる。誰もがラケットを手の平で回す一連の動作をやっている姿を見られたとおもいますが、集中力を高める効果があると言われており、カウント表示を手元で見るとなお一層集中力が高まり好判断が期待できる。オ−バ−グリップの端部のめくれ防止にも効果があり形状がシンプルで安価であり、ラケット本体グリップの色によってデザイン・色彩等が自由に楽しめる。きき腕側と反対の手の平の親指と人差し指で回して表示を行う。ゲ−ムカウントマ−クをポイント毎に手のひらで回転表示させ正しくゲ−ムカウントコ−ルができ、トラブルのない楽しいテニスができる。
【０００８】
図２は、上記本考案装置を用いたとしての装着手順及び使用態様を示したものである。
ラケット本体のグリップ上部に スコア−カウントマ−クテ−プ（１）を貼りつけその上に穴明きゴムバンドワッカ（２）を重ね装着する。表示するスコア−カウントマ−クテ−プは、市販されているオ−バ−グリップテ−プの端部を固定しているビニ−ルテ−プに沿わせて貼りつける。貼りつけ方はカウントマ−クのピッチを決定してからラケットの平な寸法に合わせて１、２、３もしくは15、30、40の数字でもよし、又自分の気にいったマ−クでもよい、要するに自分自身が判ればよいのであって、味方側の勝ポイントの３文字をカウントしていく。勝ポイントの表示は広い面側に、ゲ−ム開始前は穴の位置をラケットの小口側に合わせ試合を始める。市販の文具機器でカウントマ−クのピッチを決定した後テ−ププリントアウトし貼りつける。ジュ−スになった場合は穴の位置をラケットの小口に合わせ、ＡＤＢＡＮＴＥＡＧＥサ−バ−になった時は１に、タイブブレ−クになった場合には、反対側の平らな面側の１〜６の数字に合わせ計数を行う。なおゲ−ム計数を表示するには、ゴムバンドワッカを2段に装着付加する。
【実施例２】
【０００９】
穴明きゴムワッカの巾及びゴム厚の分をラケット本体に溝をつくりワッカ外れ防止ラケットと一体感を出す。ゴムバンドワッカのデザイン・カラ−を自由に取り入れ、取り替えが簡単にもおこなえる。テニス等の１５、３０、４０、ＤＥＵＣＥ、ＡＤＶＡＮＴＡＧＥ等の聞きなれないテニス用語もこれから始める方々にもカウントの計数でよくわかる。
【図面の簡単な説明】
【００１０】
【図１】本考案の１実施例の斜視図
【図２】本考案の装着手順、使用態様を示す説明図
【符号の説明】
【００１１】
１  カウントマ−クテープ
２  穴明きゴムバンドワッカ
【図１】
0003103503.tif 000003
【図２】
0003103503.tif 000004
【手続補正書】
【提出日】平成16年4月7日(2004.4.7)
【手続補正１】
【補正対象書類名】実用新案登録請求の範囲
【補正対象項目名】請求項３
【補正方法】変更
【補正の内容】
【請求項３】
穴明きゴムワッカの巾及びワッカゴムの厚み寸法をラケット本体に同寸法の溝をつくりそこに装着して外れ防止用を兼ねたテニス等の一体型のゲ−ムカウントスコア−手動回転表示装置。